(57)【要約】【課題】  人間の口元をリアルに再現できる口唇付き歯列模型の作製技術を提供する。【解決手段】  特定された個体の上下顎歯列および咬合状態の口唇それぞれが別個の印象型から作製される仮模型として、上顎義歯列、下顎義歯列、上顎義床、下顎義床、上口唇、下口唇を適宜組み合わせてなる分割型を用いてシリコーンラバーにより成形する。また、上顎義歯列および下顎義歯列は注入型樹脂または人工歯により作製する。さらに、上顎義床および下顎義床の各分割型は注入型樹脂により作製する。さらにまた、上顎義床・上口唇連結および下顎義床・下口唇連結の分割型は注入型樹脂により作製する。また、上口唇および下口唇の各分割型は弾性樹脂またはゴムにより作製する。なお、印象型は上下顎歯列と咬合状態の口唇の３つ作製するものである。【選択図】        図１
2006304838.tif 000002
【特許請求の範囲】
【請求項１】
特定された個体の上下顎歯列および咬合状態の口唇それぞれが別個の印象型から作製される仮模型として、
（１）ＡＢＣ連結およびＡ’Ｂ’Ｃ’連結
（２）ＡＢＣ連結およびＡ’Ｂ’連結およびＣ’
（３）ＡＢ連結およびＣおよびＡ’Ｂ’Ｃ’連結
（４）ＡＢ連結およびＡ’Ｂ’連結およびＣＣ’連結
（５）ＡＢ連結およびＣおよびＡ’Ｂ’ 連結およびＣ’
（６）ＡＢ連結およびＡ’Ｂ’ＣＣ’ 連結
（７）ＡＢＣＣ’連結およびＡ’Ｂ’連結
のうち何れか一の組み合わせから選ばれる分割型を用いてシリコーンラバーにより成形したことを特徴とする口唇付き歯列模型作製用コア。
ただし、Ａは上顎義歯列、Ａ’は下顎義歯列、Ｂは上顎義床、Ｂ’は下顎義床、Ｃは上口唇、Ｃ’は下口唇とする。
【請求項２】
ＡおよびＡ’は注入型樹脂または人工歯により作製される請求項１記載の口唇付き歯列模型作製用コア。
【請求項３】
ＢおよびＢ’は注入型樹脂により作製される請求項１または２記載の口唇付き歯列模型作製用コア。
【請求項４】
ＢＣおよびＢ’Ｃ’は注入型樹脂により作製される請求項１または２記載の口唇付き歯列模型作製用コア。
【請求項５】
ＣおよびＣ’は弾性樹脂またはゴムにより作製される請求項１または２記載の口唇付き歯列模型作製用コア。
【請求項６】
特定された個体の上顎歯列、下顎歯列および咬合状態の口唇からそれぞれ別個に３つの印象型を採取すると共に、当該印象型から
（１）ＡＢＣ連結およびＡ’Ｂ’Ｃ’連結
（２）ＡＢＣ連結およびＡ’Ｂ’連結およびＣ’
（３）ＡＢ連結およびＣおよびＡ’Ｂ’Ｃ’連結
（４）ＡＢ連結およびＡ’Ｂ’連結およびＣＣ’連結
（５）ＡＢ連結およびＣおよびＡ’Ｂ’ 連結およびＣ’
（６）ＡＢ連結およびＡ’Ｂ’ＣＣ’ 連結
（７）ＡＢＣＣ’連結およびＡ’Ｂ’連結
のうち何れか一の組み合わせから選ばれる分割された仮模型を作製し、当該分割された仮模型を適宜修正したのち、修正後の仮模型をシリコーンラバーにより埋没してなることを特徴とした口唇付き歯列模型作製用コアの製造方法。
ただし、Ａは上顎義歯列、Ａ’は下顎義歯列、Ｂは上顎義床、Ｂ’は下顎義床、Ｃは上口唇、Ｃ’は下口唇とする。
【請求項７】
請求項６に記載の製造方法により作製した口唇付き歯列模型作製用コアに注入型樹脂を埋入し、離型後、硬化させたことを特徴とする口唇付き歯列模型。
【発明の詳細な説明】
【技術分野】
【０００１】
この発明は、自然な口元の表情を模した歯列模型を作製するためのコア（雌型）とその製造方法、さらに前記製造方法により作製されたコアを用いて口唇付き歯列模型を作製する技術に関するものである。
【背景技術】
【０００２】
歯科技工の分野では、義歯や義床を精度良く作製する技術が確立されている（例えば、特許文献１、２を参照）。
【０００３】
【特許文献１】特開平８−６４５号公報
【特許文献２】特開２００４−１８０９７６号公報
【発明の開示】
【発明が解決しようとする課題】
【０００４】
即ち、従来技術によって患者の上下顎歯列を忠実に再現した模型を作製することは可能である。ところで、当該模型は作製者（歯科技工士など）が模型を適宜修正等して、患者に対し、より適合する義歯等を提供するために作製されることを主たる目的とするものである。もちろん、作成過程において患者の要望を取り入れることも重要であるから、当該模型を作製サイドから見せられることで、本人の要望通りかどうかの確認を行うこともできる。
【０００５】
しかしながら、当該模型は単に口腔内の状態を再現するにとどまり、患者が当該模型に基づき作製される義歯等を実際装着したときの口元をイメージすることは困難であった。つまり、従来は本物に限りなく近い審美性を有する形態としたり、理想的な噛み合わせを実現しようとする観点に偏重するあまり、自然な表情を加味して歯並び等を決定する観点に欠けていたのである。
【０００６】
一方、近年、アニメ等のキャラクターを模したフィギアが流行している。しかし、従来は実在しない架空のものを模したものばかりで、例えばアイドル歌手を模したものはなかった。ファン心理からすれば、プロマイドや映像などの二次元な媒体を収集するほか、口元を立体的に模したものを装飾用として欲していたという一部事実も存在する。
【０００７】
本発明は上述した課題を契機として創作されたものであり、その目的とするところは、人間の口元をリアルに再現できる口唇付き歯列模型の作製技術を提供することである。
【課題を解決するための手段】
【０００８】
上述した目的を達成するために本発明では、特定された個体の上下顎歯列および咬合状態の口唇それぞれが別個の印象型から作製される仮模型として、（１）ＡＢＣ連結およびＡ’Ｂ’Ｃ’連結、（２）ＡＢＣ連結およびＡ’Ｂ’連結およびＣ’、（３）ＡＢ連結およびＣおよびＡ’Ｂ’Ｃ’連結、（４）ＡＢ連結およびＡ’Ｂ’連結およびＣＣ’連結、（５）ＡＢ連結およびＣおよびＡ’Ｂ’ 連結およびＣ’、（６）ＡＢ連結およびＡ’Ｂ’ＣＣ’ 連結、または（７）ＡＢＣＣ’連結およびＡ’Ｂ’連結のうち何れか一の組み合わせから選ばれる分割型を用いてシリコーンラバーにより口唇付き歯列模型作製用コアを成形するという手段を用いた。ただし、本発明においてＡは上顎義歯列、Ａ’は下顎義歯列、Ｂは上顎義床、Ｂ’は下顎義床、Ｃは上口唇、Ｃ’は下口唇である。なお、印象型は上下顎歯列と咬合状態の口唇の３つ作製される。この印象方法および印象材は公知のものを採用することができる。また、印象型から仮模型を作製する方法および仮模型の素材も公知技術を採用することができる。
【０００９】
また請求項２では、ＡおよびＡ’を注入型樹脂または人工歯により作製するという手段を選択的に用いることとした。請求項３では、ＢおよびＢ’を注入型樹脂により作製する。一方、請求項４では、ＢＣおよびＢ’Ｃ’を注入型樹脂により作製するという手段を用いる。
【００１０】
さらに、請求項５では、ＣおよびＣ’を弾性樹脂またはゴムにより作製することによって、審美性および機能性を高める。
【００１１】
こうしたコアを製造する方法として、本発明では、上顎歯列、下顎歯列および咬合状態の口唇からそれぞれ別個に３つの印象型を採取すると共に、当該印象型から（１）ＡＢＣ連結およびＡ’Ｂ’Ｃ’連結、（２）ＡＢＣ連結およびＡ’Ｂ’連結およびＣ’、（３）ＡＢ連結およびＣおよびＡ’Ｂ’Ｃ’連結、（４）ＡＢ連結およびＡ’Ｂ’連結およびＣＣ’連結、（５）ＡＢ連結およびＣおよびＡ’Ｂ’ 連結およびＣ’、（６）ＡＢ連結およびＡ’Ｂ’ＣＣ’ 連結、または（７）ＡＢＣＣ’連結およびＡ’Ｂ’連結のうち何れか一の組み合わせから選ばれる分割された仮模型を作製し、当該分割された仮模型を適宜修正したのち、修正後の仮模型をシリコーンラバーにより埋没して口唇付き歯列模型作製用コアを成形するという手段を採用する。ただし、Ａは上顎義歯列、Ａ’は下顎義歯列、Ｂは上顎義床、Ｂ’は下顎義床、Ｃは上口唇、Ｃ’は下口唇である。
【００１２】
さらに、当該製造方法により作製されたコアに注入型樹脂を埋入し、離型後、硬化させて口唇付き歯列模型を作製するという手段を用いる。
【発明の効果】
【００１３】
以上説明したように本発明によれば、まず上顎歯列と下顎歯列、さらに咬合状態の口唇の印象型をそれぞれ作製するので、口元の再現に必要な情報を得ることができる。次に、印象型を成形型とせず、印象型から仮模型を作製するようにしたので、この仮模型の段階で細かな修正や人工歯列の置換なども行うことができる。そして、仮模型は適宜分割されるから、その分割の態様に応じてコアが作製され、この結果、目的に応じて上口唇周辺・上顎歯列および下口唇周辺・下顎歯列からなる二分割の歯列模型や、上顎歯列、下顎歯列とは別に口唇周辺の三分割モデルも作製することができる。そして、本発明により作製された歯列模型は審美性に優れ、且つ、口唇面からの表情や側面からの咬合状態等を自然な状態で観察することができる。
【発明を実施するための最良の形態】
【００１４】
以下、本発明の好ましい実施の形態を添付した図面に従って説明する。図１は、口唇付き歯列模型作製用コアに係る本発明方法の第一工程を示したものである。図中、１は上顎歯列の仮模型、２は下顎歯列の仮模型であり、上顎歯列の仮模型１は上顎義歯列Ａと上顎義床Ｂを連結したもの、下顎歯列の仮模型２は下顎義歯列Ａ’と下顎義床Ｂ’を連結したものを石膏で作製したものである。なお、当該仮模型１・２の製作方法は、まず模倣する特定された個体（人物）の歯形から歯科技工の通法に従って採取される印象型に石膏を埋設して行われる。そして、適宜修正や人工歯の置換を行った後、仮模型１・２を成型材で埋設することによって、上下顎の歯列模型作製用コアＤ・Ｄ’を作製する。また、図２に示したように、咬合状態の口唇についても、同様に印象型を採取すると共に、当該印象型から上下口唇Ｃ・Ｃ’を含む口唇周辺の仮模型３を作製し、仮模型１・２と仮模型３を合致させた状態で口唇周辺のコアＥを作製する。
【００１５】
なお、コアの成型材は、注入用樹脂であれば複数個の成型が可能であり、仮模型を残しておけばコアの再製も可能であるが、樹脂等の多色注入による複雑で精度のよい成型に適応させるため、また、その柔軟性（変形能）により離型性に優れていることから、シリコーンラバー印象材をコアの成型材として用いることが好ましい。
【００１６】
図３は、本発明コアの分割例を示したものであり、ＡＢＣ連結およびＡ’Ｂ’連結およびＣ’を示したものである。ただし、これは一例であって、この他に、ＡＢＣ連結およびＡ’Ｂ’Ｃ’連結、ＡＢ連結およびＣおよびＡ’Ｂ’Ｃ’連結、ＡＢ連結およびＡ’Ｂ’連結およびＣＣ’連結、ＡＢ連結およびＣおよびＡ’Ｂ’連結およびＣ’、ＡＢ連結およびＡ’Ｂ’ＣＣ’連結、のうち何れか一の組み合わせから選択することができる。さらに、唇が歯列を覆っている場合は、ＡＢＣＣ’連結およびＡ’Ｂ’連結からなる分割例を使用することが好適である。
【００１７】
図４、図５は本発明コアにより作製した口唇付き歯列模型あって、図４は上下二分割（上口唇模型と下口唇模型は上顎模型および下顎模型それぞれと一体）の態様を、また図５は上顎模型、下顎模型ならびに口唇周辺一体型模型の三分割とした態様を示したものである。何れの態様の歯列模型も、分割模型を組み合わせた状態で、口唇面からの表情や側面からの咬合状態、喉（舌）側からの咬合状態を、自然な口元の表情をイメージしたまま容易に確認することができる。模型の分割数が多ければ、分解できるパターンが増す分、確認できる状態も増すことは勿論である。
【００１８】
なお、本発明コアによって歯列模型を作製する際、部位ごとに着色を施して、審美性を高め、よりリアルな模型とすることは、技術的には従来公知の歯科技工を採用することで実現可能であり、また本物に近いイメージで表情を確認するために重要なことである。
【図面の簡単な説明】
【００１９】
【図１】本発明製造方法の第一工程を示した説明図
【図２】同、第二工程を示した説明図
【図３】本発明コアの分割例を示した説明図
【図４】本発明コアにより作製された歯列模型の斜視図（二分割）
【図５】本発明コアにより作製された歯列模型の斜視図（三分割）
【符号の説明】
【００２０】
１  上顎歯列の仮模型
２  下顎歯列の仮模型
３  口唇周辺
Ｄ  上顎歯列模型用コア
Ｄ’  下顎歯列模型用コア
Ｅ  口唇周辺模型用コア
【図１】
2006304838.tif 000003
【図２】
2006304838.tif 000004
【図３】
2006304838.tif 000005
【図４】
2006304838.tif 000006
【図５】
2006304838.tif 000007